(57)【要約】【課題】１つの画像データに対して関連付けることができる音声データの数や量が制限されている場合におけるアフレコ機能の使い勝手を大幅に向上させる。【解決手段】被写体像を撮影するＣＣＤ１３、サンプルホールド回路１６、Ａ／Ｄ変換器１７及びカラープロセス回路１８と、音声を入力するマイクロホン３１及び音声処理部３０と、撮像により得た静止画像に対し、上記マイクロホン３１から音声処理部３０へ入力した音声を任意に付帯設定して複数記録可能なフラッシュメモリ２９と、フラッシュメモリ２９に記録された複数の静止画像の中から任意のものを選択操作するキー入力部２７と、選択した静止画像に音声が付帯設定されているか否かを判別し、音声が付帯設定されていると判別した際に例えば表示部２６でのメッセージ表示により警告を行なうＣＰＵ２２とを備える。【選択図】　　図１
2004007435.tif 000002
【特許請求の範囲】
【請求項１】
画像データを記憶する記憶手段と、
この記憶手段に記憶されている画像データに対して音声データの関連付けを任意のタイミングで指示する指示手段と、
この指示手段により前記画像データに対する音声データの関連付けが指示された場合、該画像データに既に音声データが関連付けられているか否かを判別する判別手段と、
この判別手段により前記画像データに既に音声データが関連付けられていると判別された場合、報知する報知手段と、
を具備したことを特徴とする画像記録装置。
【請求項２】
前記記憶手段は、複数の画像データを記憶し、
前記指示手段は、前記記憶手段に記憶されている複数の画像データの中から任意の画像データを選択する選択手段を含み、この選択手段により選択された任意の画像データに対して音声データの関連付けを指示することを特徴とする請求項１記載の画像記録装置。
【請求項３】
前記判別手段により画像データに音声データが関連付けられていないと判別された場合、前記画像データに対する音声データの関連付け処理を実行する制御手段を備えたことを特徴とする請求項１又は２記載の画像記録装置。
【請求項４】
前記判別手段により画像データに音声データが既に関連付けられていると判別された場合に、前記画像データに対して音声データの関連付け処理を強制実行するか否かを指示する強制指示手段と、
この強制指示手段により強制実行が指示された場合、前記画像データに対する音声データの関連付け処理を強制実行する制御手段とを備えることを特徴とする請求項１乃至３のいずれかに記載の画像記録装置。
【請求項５】
前記判別手段により画像データに音声データが既に関連付けられていると判別された場合、前記画像データに対する音声データの関連付け処理の実行を禁止する禁止手段を備えることを特徴とする請求項１乃至３のいずれかに記載の画像記録装置。
【請求項６】
音声入力手段を備え、
前記指示手段は、前記画像データに対して、前記音声入力手段により入力される音声データの関連付けを指示することを特徴とする請求項１乃至５のいずれかに記載の画像記録装置。
【請求項７】
前記指示手段により前記画像データに対する音声データの関連付けが指示された場合、前記画像データに対する音声データの関連付け処理を実行する制御手段を備え、
前記記憶手段は、この制御手段により音声データが関連付けられた画像データを記憶することを特徴とする請求項１記載の画像記録装置。
【請求項８】
音声入力手段と、
前記指示手段により前記画像データに対する音声データの関連付けが指示された場合、前記音声入力手段により入力される音声データを録音するための録音モードに移行する制御手段とを備え、
前記記憶手段は、前記録音モードにおいて録音された音声データが関連付けられた画像データを記憶することを特徴とする請求項１記載の画像記録装置。
【請求項９】
撮像手段を備え、
前記記憶手段は、この撮像手段により取得された画像データを記憶することを特徴とする請求項１乃至８のいずれかに記載の画像記録装置。
【請求項１０】
撮像手段と、
音声入力手段とを備え、
前記記憶手段は、前記撮像手段により取得された画像データに、該画像データの取得時に前記音声入力手段により入力された音声データを関連付けて記憶することを特徴とする請求項１乃至８のいずれかに記載の画像記録装置。
【請求項１１】
前記画像データは静止画像データであることを特徴とする請求項１乃至１０のいずれかに記載の画像記録装置。
【請求項１２】
画像データを記憶する記憶手段と、
この記憶手段に記憶されている画像データに対して音声データの関連付けを任意のタイミングで指示する指示手段と、
この指示手段により前記画像データに対する音声データの関連付けが指示された場合、該画像データに既に音声データが関連付けられているか否かを判別する判別手段と、
この判別手段により前記画像データに既に音声データが関連付けられていると判別された場合、前記画像データに対する音声データの関連付け処理の実行を禁止する禁止手段と、
を具備したことを特徴とする画像記録装置。
【請求項１３】
撮像手段と、
この撮像手段により取得された画像データを記憶する記憶手段と、
この記憶手段に記憶されている画像データに対して音声データの関連付けを任意のタイミングで指示する指示手段と、
この指示手段により前記画像データに対する音声データの関連付けが指示された場合、該画像データに既に音声データが関連付けられているか否かを判別する判別手段と、
この判別手段により前記画像データに既に音声データが関連付けられていると判別された場合、報知する報知手段と、
を具備したことを特徴とする電子カメラ。
【請求項１４】
メモリに記憶されている画像データに対して音声データの関連付けを任意のタイミングで指示する指示工程と、
この指示工程で前記画像データに対する音声データの関連付けが指示された場合、該画像データに既に音声データが関連付けられているか否かを判別する判別工程と、
この判別工程で前記画像データに既に音声データが関連付けられていると判別された場合に報知する報知工程と
を有したことを特徴とする画像記録方法。
【請求項１５】
メモリに記憶されている画像データに対して音声データの関連付けを任意のタイミングで指示する指示工程と、
この指示工程で前記画像データに対する音声データの関連付けが指示された場合、該画像データに既に音声データが関連付けられているか否かを判別する判別工程と、
この判別工程で前記画像データに既に音声データが関連付けられていると判別された場合に前記画像データに対する音声データの関連付け処理の実行を禁止する禁止工程と
を有したことを特徴とする画像記録方法。
【請求項１６】
画像記録装置に内蔵されるコンピュータが実行するプログラムであって、
メモリに記憶されている画像データに対して音声データの関連付けを任意のタイミングで指示する指示ステップと、
この指示ステップで前記画像データに対する音声データの関連付けが指示された場合、該画像データに既に音声データが関連付けられているか否かを判別する判別ステップと、
この判別ステップで前記画像データに既に音声データが関連付けられていると判別された場合に報知する報知ステップと
をコンピュータに実行させることを特徴とするプログラム。
【請求項１７】
画像記録装置に内蔵されるコンピュータが実行するプログラムであって、
メモリに記憶されている画像データに対して音声データの関連付けを任意のタイミングで指示する指示ステップと、
この指示ステップで前記画像データに対する音声データの関連付けが指示された場合、該画像データに既に音声データが関連付けられているか否かを判別する判別ステップと、
この判別ステップで前記画像データに既に音声データが関連付けられていると判別された場合に前記画像データに対する音声データの関連付け処理の実行を禁止する禁止ステップと
をコンピュータに実行させることを特徴とするプログラム。
【発明の詳細な説明】
【０００１】
【発明の属する技術分野】
本発明は、アフレコ機能付き電子スチルカメラ等に用いることが可能な電子カメラ、画像記録装置、画像記録方法及びプログラムに関する。
【０００２】
【従来の技術】
従来、通常の静止画撮影機能に加えて、静止画撮影時に、静止画撮影動作により得られた静止画像と関連付けて、静止画撮影タイミング前後の録音動作により得られた音声を記録する音声付き静止画撮影機能が搭載されている電子スチルカメラが知られている。
【０００３】
また、静止画撮影後の任意のタイミングで、メモリに既に記録されている静止画像に対する録音動作を行って音声を記録したい、所謂アフレコ（アフターレコーディング）したいという要望がある。
【０００４】
また、先行文献には、撮影と同時の音声とアフレコ音声とを記録媒体の別の記録領域に記録し、再生時は両方又は一方のみを再生することができる画像・音声記録再生装置が開示されている。
【０００５】
【特許文献】
特開平７−３２２１９５号公報
【０００６】
【発明が解決しようとする課題】
しかしながら、１つの画像に対して１つの音声しか関連付けて記録できない場合、音声付き静止画撮影により得られ、メモリに記録されている音声付き静止画像に対して誤ってアフレコ処理を実行し、既に記録されている大事な音声を消去してしまったり、大事な音声を消去してしまったにも係わらず、そのことに全く気付かないといった不具合が生じてしまう。
【０００７】
先行文献は、１つの画像に対して撮影と同時の音声とアフレコ音声とを関連付けて記録できるものであるので前述したような不具合が全く生じないものの、１つの画像データに対して関連付けることができる音声データの数や量が制限されているものにおいて前述したような不具合を解消するものではない。
【０００８】
本発明は上記のような実情に鑑みてなされたもので、その目的とするところは、１つの画像データに対して関連付けることができる音声データの数や量が制限されている場合におけるアフレコ機能の使い勝手を大幅に向上させることが可能な電子カメラ、画像記録装置、画像記録方法及びプログラムを提供することにある。
【０００９】
【課題を解決するための手段】
請求項１の発明は、画像データを記憶する記憶手段と、この記憶手段に記憶されている画像データに対して音声データの関連付けを任意のタイミングで指示する指示手段と、この指示手段により前記画像データに対する音声データの関連付けが指示された場合、該画像データに既に音声データが関連付けられているか否かを判別する判別手段と、この判別手段により前記画像データに既に音声データが関連付けられていると判別された場合、報知する報知手段とを具備したことを特徴とする。
【００１０】
このような構成とすれば、アフレコ処理の実行を指示した時点でアフレコ対象の画像データに音声データが既に関連付けられていることをユーザが直ちに知ることができる。従って、大事な音声を消去してしまったにも係わらず、そのことに全く気付かないといったことがなくなる。
【００１１】
請求項２記載の発明は、前記請求項１記載の発明において、前記記憶手段は、複数の画像データを記憶し、前記指示手段は、前記記憶手段に記憶されている複数の画像データの中から任意の画像データを選択する選択手段を含み、この選択手段により選択された任意の画像データに対して音声データの関連付けを指示することを特徴とする。
【００１２】
このような構成とすれば、前記請求項１記載の発明の作用に加えて、ユーザがアフレコ対象画像として任意に選択した画像データに音声データが既に関連付けられていることをユーザが直ちに知ることができる。
【００１３】
請求項３記載の発明は、前記請求項１又は２記載の発明において、前記判別手段により画像データに音声データが関連付けられていないと判別された場合、前記画像データに対する音声データの関連付け処理を実行する制御手段を備えたことを特徴とする。
【００１４】
このような構成とすれば、前記請求項１又は２記載の発明の作用に加えて、アフレコ対象の画像データに音声データが関連付けられておらず、音声データ消去の虞が全くない画像データに対しては直ちにアフレコ処理を実行することができる。
【００１５】
請求項４記載の発明は、前記請求項１乃至３のいずれかに記載の発明において、前記判別手段により画像データに音声データが既に関連付けられていると判別された場合に、前記画像データに対して音声データの関連付け処理を強制実行するか否かを指示する強制指示手段と、この強制指示手段により強制実行が指示された場合、前記画像データに対する音声データの関連付け処理を強制実行する制御手段とを備えることを特徴とする。
【００１６】
このような構成とすれば、前記請求項１乃至３のいずれかに記載の発明の作用に加えて、アフレコ対象の画像データに音声データが関連付けられていることをユーザが知った場合でも、アフレコ処理の実行をユーザが指示すればアフレコ処理を実行することができると同時に、アフレコ処理の実行をユーザが指示しなければ既に記録されている大事な音声を消去しないで済むことができる。
【００１７】
請求項５記載の発明は、前記請求項１乃至３のいずれかに記載の発明において、前記判別手段により画像データに音声データが既に関連付けられていると判別された場合、前記画像データに対する音声データの関連付け処理の実行を禁止する禁止手段を備えることを特徴とする。
【００１８】
このような構成とすれば、前記請求項１乃至３のいずれかに記載の発明の作用に加えて、既に記録されている大事な音声を消去してしまうのを確実に防止することができる。
【００１９】
請求項６記載の発明は、前記請求項１乃至５のいずれかに記載の発明において、音声入力手段を備え、前記指示手段は、前記画像データに対して、前記音声入力手段により入力される音声データの関連付けを指示することを特徴とする。
【００２０】
このような構成とすれば、前記請求項１乃至５のいずれかに記載の発明の作用に加えて、周囲の生の音声を録音して得た音声データを用いてアフレコ処理を実行することができる。
【００２１】
請求項７記載の発明は、前記請求項１記載の発明において、前記指示手段により前記画像データに対する音声データの関連付けが指示された場合、前記画像データに対する音声データの関連付け処理を実行する制御手段を備え、前記記憶手段は、この制御手段により音声データが関連付けられた画像データを記憶することを特徴とする。
【００２２】
このような構成とすれば、前記請求項１記載の発明の作用に加えて、アフレコ処理の実行を指示した時点で、アフレコ対象の画像データに既にアフレコ処理の実行により音声データが関連付けられていることをユーザが直ちに知ることができる。
【００２３】
請求項８記載の発明は、前記請求項１記載の発明において、音声入力手段と、前記指示手段により前記画像データに対する音声データの関連付けが指示された場合、前記音声入力手段により入力される音声データを録音するための録音モードに移行する制御手段とを備え、前記記憶手段は、前記録音モードにおいて録音された音声データが関連付けられた画像データを記憶することを特徴とする。
【００２４】
このような構成とすれば、前記請求項１記載の発明の作用に加えて、アフレコ処理の実行を指示した時点で、アフレコ対象の画像データに録音モードにより録音された音声データが既に関連付けられていることをユーザが直ちに知ることができる。
【００２５】
請求項９記載の発明は、前記請求項１記載の発明において、撮像手段を備え、前記記憶手段は、この撮像手段により取得された画像データを記憶することを特徴とする。
【００２６】
このような構成とすれば、前記請求項１記載の発明の作用に加えて、アフレコ処理の実行を指示した時点で、撮影により得られ、メモリに記録されている画像データに音声データが既に関連付けられていることをユーザが直ちに知ることができる。
【００２７】
請求項１０記載の発明は、前記請求項１乃至８のいずれかに記載の発明において、撮像手段と、音声入力手段とを備え、前記記憶手段は、前記撮像手段により取得された画像データに、該画像データの取得時に前記音声入力手段により入力された音声データを関連付けて記憶することを特徴とする。
【００２８】
このような構成とすれば、前記請求項１乃至８のいずれかに記載の発明の作用に加えて、アフレコ処理の実行を指示した時点で、アフレコ対象の画像データが、音声付き撮影により音声データが関連付けられている画像データであることをユーザが直ちに知ることができる。
【００２９】
請求項１１記載の発明は、前記請求項１乃至１０のいずれかに記載の発明において、前記画像データは静止画像データであることを特徴とする。
【００３０】
このような構成とすれば、前記請求項１乃至１０のいずれかに記載の発明の作用に加えて、アフレコ処理の実行を指示した時点で、アフレコ対象の静止画像データに音声データが関連付けられていることをユーザが直ちに知ることができる。
【００３１】
請求項１２記載の発明は、画像データを記憶する記憶手段と、この記憶手段に記憶されている画像データに対して音声データの関連付けを任意のタイミングで指示する指示手段と、この指示手段により前記画像データに対する音声データの関連付けが指示された場合、該画像データに既に音声データが関連付けられているか否かを判別する判別手段と、この判別手段により前記画像データに既に音声データが関連付けられていると判別された場合、前記画像データに対する音声データの関連付け処理の実行を禁止する禁止手段とを具備したことを特徴とする。
【００３２】
このような構成とすれば、アフレコ処理の実行を指示した時点でアフレコ対象の画像データに音声データが既に関連付けられている場合に、既に記録されている大事な音声を消去してしまうのを確実に防止することができる。
【００３３】
請求項１３記載の発明は、撮像手段と、この撮像手段により取得された画像データを記憶する記憶手段と、この記憶手段に記憶されている画像データに対して音声データの関連付けを任意のタイミングで指示する指示手段と、この指示手段により前記画像データに対する音声データの関連付けが指示された場合、該画像データに既に音声データが関連付けられているか否かを判別する判別手段と、この判別手段により前記画像データに既に音声データが関連付けられていると判別された場合、報知する報知手段とを具備したことを特徴とする。
【００３４】
このような構成とすれば、撮影により得られ、メモリに記憶されている画像データに対してアフレコ処理の実行を指示した時点で音声データが既に関連付けられていることをユーザが直ちに知ることができる。
【００３５】
請求項１４記載の発明は、メモリに記憶されている画像データに対して音声データの関連付けを任意のタイミングで指示する指示工程と、この指示工程で前記画像データに対する音声データの関連付けが指示された場合、該画像データに既に音声データが関連付けられているか否かを判別する判別工程と、この判別工程で前記画像データに既に音声データが関連付けられていると判別された場合に報知する報知工程とを有したことを特徴とする。
【００３６】
このような方法とすれば、アフレコ処理の実行を指示した時点でアフレコ対象の画像データに音声データが既に関連付けられていることをユーザが直ちに知ることができる。
【００３７】
請求項１５記載の発明は、メモリに記憶されている画像データに対して音声データの関連付けを任意のタイミングで指示する指示工程と、この指示工程で前記画像データに対する音声データの関連付けが指示された場合、該画像データに既に音声データが関連付けられているか否かを判別する判別工程と、この判別工程で前記画像データに既に音声データが関連付けられていると判別された場合に前記画像データに対する音声データの関連付け処理の実行を禁止する禁止工程とを有したことを特徴とする。
【００３８】
このような方法とすれば、アフレコ処理の実行を指示した時点でアフレコ対象の画像データに音声データが既に関連付けられている場合に、既に記録されている大事な音声を消去してしまうのを確実に防止することができる。
【００３９】
請求項１６記載の発明は、画像記録装置に内蔵されるコンピュータが実行するプログラムであって、メモリに記憶されている画像データに対して音声データの関連付けを任意のタイミングで指示する指示ステップと、この指示ステップで前記画像データに対する音声データの関連付けが指示された場合、該画像データに既に音声データが関連付けられているか否かを判別する判別ステップと、この判別ステップで前記画像データに既に音声データが関連付けられていると判別された場合に報知する報知ステップとをコンピュータに実行させることを特徴とする。
【００４０】
このようなプログラム内容とすれば、アフレコ処理の実行を指示した時点でアフレコ対象の画像データに音声データが既に関連付けられていることをユーザが直ちに知ることができる。
【００４１】
請求項１７記載の発明は、画像記録装置に内蔵されるコンピュータが実行するプログラムであって、メモリに記憶されている画像データに対して音声データの関連付けを任意のタイミングで指示する指示ステップと、この指示ステップで前記画像データに対する音声データの関連付けが指示された場合、該画像データに既に音声データが関連付けられているか否かを判別する判別ステップと、この判別ステップで前記画像データに既に音声データが関連付けられていると判別された場合に前記画像データに対する音声データの関連付け処理の実行を禁止する禁止ステップとをコンピュータに実行させることを特徴とする。
【００４２】
このようなプログラム内容とすれば、アフレコ処理の実行を指示した時点でアフレコ対象の画像データに音声データが既に関連付けられている場合に、既に記録されている大事な音声を消去してしまうのを確実に防止することができる。
【００４３】
【発明の実施の形態】
以下本発明をデジタルスチルカメラ（以下「デジタルカメラ」と略称する）に適用した場合の実施の一形態について図面を参照して説明する。
【００４４】
図１はその回路構成を示すもので、１０がデジタルカメラである。このデジタルカメラ１０は、基本モードとして記録モードと再生モードとを切換えて設定可能であり、記録モードでのモニタリング状態においては、モータ１１の駆動により合焦位置が移動されるフォーカスレンズ１２を含むレンズ光学系の撮影光軸後方に配置された撮像素子であるＣＣＤ１３（撮像手段）が、タイミング発生器（ＴＧ）１４、垂直ドライバ１５によって走査駆動され、一定周期毎に結像した光像に対応する光電変換出力を１画面分出力する。
【００４５】
この光電変換出力は、アナログ値の信号の状態でＲＧＢの各原色成分毎に適宜ゲイン調整された後に、サンプルホールド回路（Ｓ／Ｈ）１６でサンプルホールドされ、Ａ／Ｄ変換器１７でデジタルデータに変換され、カラープロセス回路１８で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ
Ｍｅｍｏｒｙ　Ａｃｃｅｓｓ）コントローラ１９に出力される。
【００４６】
ＤＭＡコントローラ１９は、カラープロセス回路１８の出力する輝度信号Ｙ及び色差信号Ｃｂ，Ｃｒを、同じくカラープロセス回路１８からの複合同期信号、メモリ書込みイネーブル信号、及びクロック信号を用いて一度ＤＭＡコントローラ１９内部のバッファに書込み、ＤＲＡＭインタフェース（Ｉ／Ｆ）２０を介してＤＲＡＭ２１にＤＭＡ転送を行なう。
【００４７】
ＣＰＵ２２（プロセッサー、判別手段、制御手段、禁止手段）は、上記輝度及び色差信号のＤＲＡＭ２１へのＤＭＡ転送終了後に、この輝度及び色差信号をＤＲＡＭインタフェース２０を介してＤＲＡＭ２１より読出し、ＶＲＡＭコントローラ２３を介してＶＲＡＭ２４に書込む。
【００４８】
デジタルビデオエンコーダ２５は、上記輝度及び色差信号をＶＲＡＭコントローラ２３を介してＶＲＡＭ２４より定期的に読出し、これらのデータを元にビデオ信号を発生して表示部２６に出力する。
【００４９】
この表示部２６（報知手段）は、例えばバックライト付のカラー液晶表示パネルとその駆動回路とで構成され、デジタルカメラ１０の背面側に配設されて、記録モード時にはＥＶＦ（Ｅｌｅｃｔｒｏｎｉｃ　Ｖｉｅｗ　Ｆｉｎｄｅｒ：電子ビューファインダ）として機能するもので、デジタルビデオエンコーダ２５からのビデオ信号に基づいた表示を行なうことで、その時点でＶＲＡＭコントローラ２３から取込んでいる画像情報に基づく画像を表示することとなる。
【００５０】
このように表示部２６にその時点での画像がモニタ画像としてリアルタイムに表示されている状態で、静止画撮影を行ないたいタイミングでキー入力部２７（指示手段、選択手段、強制指示手段）を構成する複数のキー中のシャッタキーを操作すると、トリガ信号を発生する。
【００５１】
ＣＰＵ２２は、このトリガ信号に応じてその時点でＣＣＤ１３から取込んでいる１画面分の輝度及び色差信号のＤＲＡＭ２１へのＤＭＡ転送の終了後、直ちにＣＣＤ１３からのＤＲＡＭ２１への経路を停止し、記録保存の状態に遷移する。
【００５２】
この記録保存の状態では、ＣＰＵ２２がＤＲＡＭ２１に書込まれている１フレーム分の輝度及び色差信号をＤＲＡＭインタフェース２０を介してＹ，Ｃｂ，Ｃｒの各コンポーネント毎に縦８画素×横８画素の基本ブロックと呼称される単位で読出してＪＰＥＧ回路２８に書込み、このＪＰＥＧ回路２８でＡＤＣＴ（Ａｄａｐｔｉｖｅ　Ｄｉｓｃｒｅｔｅ　Ｃｏｓｉｎｅ　Ｔｒａｎｓｆｏｒｍ：適応離散コサイン変換）、エントロピ符号化方式であるハフマン符号化等の処理によりデータ圧縮し、得た符号データを１画像のデータファイルとして該ＪＰＥＧ回路２８から読出し、このデジタルカメラ１０の記憶媒体として着脱自在に装着される、不揮発性メモリであるフラッシュメモリ２９（記憶手段、メモリ）に書込む。
【００５３】
そして、１フレーム分の輝度及び色差信号の圧縮処理及びフラッシュメモリ２９への全圧縮データの書込み終了に伴なって、ＣＰＵ２２は再度ＣＣＤ１３からＤＲＡＭ２１への経路を再び起動する。
【００５４】
この際、併せてＣＰＵ２２は、元の画像データの構成画素数を大幅に間引いた画像データを作成し、これをサムネイル画像とも呼称されるプレビュー画像として元の画像データに関連付けてフラッシュメモリ２９に記憶させる。
【００５５】
なお、上記キー入力部２７は、上述したシャッタキーの他に、基本モードである記録（ＲＥＣ）モードと再生（ＰＬＡＹ）モードとを切換える録／再モード切換えキー、各種メニュー項目を表示させる「メニュー」キー、画像や各種モードの選択、メニュー選択項目の指定等のために上下左右各方向を指示するための十字キー、この十字キーの中央部に配置され、その時点で選択されている内容を指示設定する「セット」キー等から構成され、それらのキー操作に伴なう信号は直接ＣＰＵ２２へ送出される。
【００５６】
また、上記ＣＰＵ２２に対してはさらに音声処理部３０が接続されており、この音声処理部３０にはマイクロホン（ＭＩＣ）３１（音声入力手段）及びスピーカ（ＳＰ）３２が接続されている。
【００５７】
すなわち、このデジタルカメラ１０は、画像のみならず任意設定により音声の記録／再生をも行なうものであり、記録モード時にマイクロホン３１から入力された音声は音声処理部３０でＰＣＭ符号化処理によりデジタル値の音声データ化されてフラッシュメモリ２９に記録され、また再生モード時にはフラッシュメモリ２９からＣＰＵ２２が読出した音声データを音声処理部３０がアナログ化してスピーカ３２により拡声放音される。
【００５８】
しかるに、基本モードである記録モードにおいては、ムービー撮影モード、音声付き静止画撮影モード、音声なし静止画撮影モード、ボイスメモモード等の各モードを任意に選択可能とする。
【００５９】
ムービー撮影モードでは、音声付きの動画を撮影するもので、上記シャッタキーを操作してから最大時間、例えば３０［秒］が経過するか、またはその前に再度シャッタキーが操作されるまでの間に得られた動画データと音声データとを含むムービーデータファイルが作成されてフラッシュメモリ２９に記録される。この際、動画像中の先頭画像である静止画像データからプレビュー画像のデータファイルが自動的に作成され、ムービーデータファイルと関連付けてフラッシュメモリ２９に記録される。
【００６０】
音声付き静止画撮影モードでは、音声付きの静止画を撮影するもので、上記シャッタキー操作により得られた静止画像データと、上記シャッタキー操作により音声の記録を開始し、以後最大時間、例えば３０［秒］が経過するか、またはその前に再度シャッタキーが操作されるまでの間に得られた音声データとを含む音声付き静止画データファイルが作成されてフラッシュメモリ２９に記録される。この際、静止画像データからプレビュー画像のデータファイルが自動的に作成され、音声付き静止画データファイルと関連付けてフラッシュメモリ２９に記録される。
【００６１】
音声なし静止画撮影モードでは、音声なしの静止画を撮影するもので、シャッタキー操作により得られた静止画データのみを含む音声無し静止画データファイルが作成されてフラッシュメモリ２９に記録される。この際、静止画像データからプレビュー画像のデータファイルが自動的に作成され、音声無し静止画データファイルと関連付けてフラッシュメモリ２９に記録される。
【００６２】
ボイスメモモードでは、音声のみを録音するもので、上記シャッタキーを操作すると同時に音声の記録を開始し、以後最大時間、例えば３０［秒］が経過するか、またはその前に再度シャッタキーが操作されるまでの間に得られた音声データを含むボイスメモデータファイルが作成されてフラッシュメモリ２９に記録される。
【００６３】
図２は、フラッシュメモリ２９に記録された各種データファイルの状態を例示するものである。ここでは、フラッシュメモリ２９に記録されているデータファイルの末尾のファイル番号を変数ｍとして管理するものとする。
【００６４】
なお、上記フラッシュメモリ２９に記録されたデータファイルは、それぞれ個々に、あるいは一括してプロテクト状態を任意に設定可能であるものとする。その場合、プロテクト状態をオン設定したデータファイルに関しては、再生は自由に行なうことができるものの、データの消去や一部書換え、あるいは後述する音声なし静止画データファイルをアフレコ機能を使用して音声付き静止画データファイルにするなどのデータの追加などは一切受付けないものとする。
【００６５】
次に上記実施の形態の動作について説明する。
図３及び図４は、再生モード時の特にアフレコ機能に関する処理内容を示すものである。
【００６６】
同図で、その処理当初には、フラッシュメモリ２９に記録されているデータファイルをサーチするための変数ｎに初期値「１」を設定した後（ステップＳ０１）、該変数ｎの値に従ってｎ番目のデータファイルを指定してフラッシュメモリ２９から読出し、主として表示部２６により再生出力する（ステップＳ０２）。
【００６７】
ここで、フラッシュメモリ２９から読出すデータファイルが動画データファイルであった場合には、動画データファイルと関連付けてフラッシュメモリに記録されているプレビュー画像のデータファイルを展開して表示部２６で表示出力させる。
【００６８】
また、フラッシュメモリ２９から読出すデータファイルが音声付き静止画像データファイルであった場合には、静止画像データファイルと関連付けてフラッシュメモリに記録されているプレビュー画像のデータファイルを展開して表示部２６で表示出力させる。
【００６９】
この場合、プレビュー画像中の特定位置、例えば画面上部中央に音声データ付きであることを示すシンボルマークを併せて表示する。
【００７０】
また、フラッシュメモリ２９から読出すデータファイルが音声なしの静止画像データファイルであった場合には、静止画像データファイルと関連付けてフラッシュメモリに記録されているプレビュー画像のデータファイルを展開して表示部２６で表示出力させる。
【００７１】
この場合には、音声データがないために上記音声データ付きであることを示すシンボルマークは表示しない。
【００７２】
また、フラッシュメモリ２９から読出すデータファイルが上記ボイスメモモードで記録したボイスメモデータファイル（音声データファイル）であった場合には、表示部２６の画面の特定位置、例えば画面上部中央に音声データであることを示すシンボルマークのみを表示する。
【００７３】
しかして、このようにフラッシュメモリ２９に記録されているｎ番目のデータファイルに応じた表示を実行した状態で、キー入力部２７の十字キーの右キーが操作されたか否か（ステップＳ０３）、同十字キーの左キーが操作されたか否か（ステップＳ０４）、または「メニュー」キーが操作されたか否か（ステップＳ０５）を繰返し判断することで、これらのキーのいずれかが操作されるのを待機する。
【００７４】
上記ステップＳ０３で十字キーの右キーが操作されたと判断した場合、フラッシュメモリ２９に記録されている次のデータファイルを指定したものとして、その時点での変数ｎの値が既にデータファイルの末尾のファイル番号を表わす変数ｍとなっていないことを確認した上で（ステップＳ０６）、該変数ｎの値を「＋１」更新設定して（ステップＳ０７）、再び上記ステップＳ０２に戻り、次のデータファイルの表示を行なう。
【００７５】
また、上記ステップＳ０６でその時点での変数ｎの値が既に変数ｍとなっていたと判断した場合には、それ以上変数ｎの更新設定を行なうことはできないので、上記十字キーの右キーの操作を無効として上記ステップＳ０４に戻る。
【００７６】
また、上記ステップＳ０４で十字キーの左キーが操作されたと判断した場合、フラッシュメモリ２９に記録されている１つ前のデータファイルを指定したものとして、その時点での変数ｎの値が既にデータファイルの先頭のファイル番号を表わす数値「１」となっていないことを確認した上で（ステップＳ０８）、該変数ｎの値を「−１」更新設定して（ステップＳ０９）、再び上記ステップＳ０２に戻り、１つ前のデータファイルの表示を行なう。
【００７７】
また、上記ステップＳ０８でその時点での変数ｎの値が既に数値「１」となっていたと判断した場合には、それ以上変数ｎの更新設定を行なうことはできないので、上記十字キーの左キーの操作を無効として上記ステップＳ０５に戻る。
【００７８】
また、上記ステップＳ０５で「メニュー」キーが操作されたと判断した場合には、その時点で表示部２６に表示している画像上にメニュー画面を半透過状に重畳表示しながら（ステップＳ１０）、キー入力部２７の十字キーの上キーまたは下キーが操作されたか否か（ステップＳ１１）、同十字キーの右キーか、またはその中央に位置した「セット」キーが操作されたか否か（ステップＳ１２）を繰返し判断することで、これらのキーのいずれかが操作されるのを待機する。
【００７９】
図５は、表示部２６で表示されるメニュー画面を例示するものである。ここでは、「再生機能」と「設定」の２つのタブが表示されており、そのうちの「再生機能」のタブが選択されることで、「再生機能」のメニュー項目として、表示されている画像の一部を拡大表示するための「拡大」、データファイルのプロテクト状態を変更設定する「プロテクト」、静止画像のデータファイルに音声データを追加記録する「アフレコ」、既に記録されているデータファイルをコピーする「コピー」、静止画データファイル中の静止画像データの画素構成数を変更設定する「リサイズ」、及びフラッシュメモリ２９に記録されているデータファイルを纏めたフォルダを作成／編集する「アルバム」が列挙され、そのうちの「アフレコ」がカーソルで選択されている状態を示している。
【００８０】
上記ステップＳ１１で十字キーの上キーまたは下キーが操作されたと判断すると、その操作されたキーの内容に対応して、その時点でカーソルにより選択されているメニュー項目を移動させた上で（ステップＳ１３）、再び上記ステップＳ１０からのシリアルに戻る。
【００８１】
また、上記ステップＳ１２で十字キーの右キーか、または「セット」キーが操作されたと判断した場合には、その時点でカーソルにより選択されているメニュー項目の動作を実行するものとして、次にその選択されていたメニュー項目が「アフレコ」であるか否かを判断する（ステップＳ１４）。
【００８２】
ここで「アフレコ」以外のメニュー項目が選択された状態で十字キーの右キーか、または「セット」キーが操作された場合には、本案とは直接関係しない処理であるので、その説明は省略するものとする。
【００８３】
また、上記ステップＳ１４で「アフレコ」が選択されていたと判断した場合には、次に上記「メニュー」キーが操作される直前に選択されていたデータファイルがアフレコ機能を実行できない種類のデータファイルであるか否かを判断する（ステップＳ１５）。
【００８４】
なお、選択されていたデータファイルが、ボイスメモモードで記録したボイスメモデータファイル、またはムービー撮影モードで記録した動画データファイル、あるいは上記プロテクト設定がなされているデータファイルである場合にアフレコ機能を実行できない種類のデータファイルであると判断する。
【００８５】
しかして、選択されていたデータファイルがアフレコ機能を実行できない種類のデータファイルであった場合には、「メニュー」キーが操作された直前に選択されていたデータファイルの表示状態に加えて、例えば
「このファイルにアフレコ機能は使えません」
なる文字メッセージを重畳表示することでファイル種類からアフレコ機能を実行できないことを報知した上で（ステップＳ１６）、再び上記ステップＳ０２からのデータファイルの選択表示状態に戻る。
【００８６】
また、上記ステップＳ１５で「メニュー」キーが操作される直前に選択されていたデータファイルがアフレコ機能を実行できない種類のデータファイルではないと判断した場合には、少なくともそのデータファイルは音声付き／なしに拘わらず静止画像データファイルであり、且つ上記プロテクト設定がなされていないものであることになるので、続いてその静止画像データファイルが音声付き静止画データファイルであるか否かを判断する（ステップＳ１７）。
【００８７】
ここで、その静止画像データファイルが音声付き静止画データファイルであると判断した場合には、その静止画データファイル中の音声データを消去してアフレコ機能により新たな音声データを記録するかどうかを確認するメッセージ表示を行なった上で（ステップＳ１８）、アフレコ機能のキャンセルが選択されたか否か（ステップＳ１９）、あるいは静止画データファイル中の音声データの消去が選択されたか否か（ステップＳ２０）を繰返し判断することでこれらのいずれかが選択指示されるのを待機する。
【００８８】
図６は、このとき表示部２６で表示される確認メッセージ画面を例示するものであり、画面中央やや上部にて、例えば
「音声データがあります。
消去しますか？」
なるメッセージを表示すると共に、画面下部にて「キャンセル」と「消去」の２つの選択肢を表示している。ここでは「キャンセル」がカーソルで選択されている状態を示しており、十字キーの上キーまたは下キーの操作でカーソルを任意の方向に移動させた上でセットキーを操作することにより選択指示が実行される。
【００８９】
しかして、「キャンセル」が選択指示された場合にはステップＳ１９でこれを判断して、再び上記ステップＳ０２からのデータファイルの選択表示状態に戻る。
【００９０】
また、「消去」が選択指示された場合にはステップＳ２０でこれを判断し、指示通り、静止画データファイル中の音声データをフラッシュメモリ２９から消去設定する（ステップＳ２１）。
【００９１】
なお、上記ステップＳ１７で静止画像データファイルが音声付き静止画データファイルではなく音声なし静止画データファイルであると判断とした場合には、上記ステップＳ１８〜Ｓ２１の処理は必要ないので実行しない。
【００９２】
その後、表示部２６にてアフレコ機能のスタンバイ画面を表示した上で（ステップＳ２２）、録音を開始するためのシャッタキーの操作がなされるのを待機する（ステップＳ２３）。
【００９３】
図７は、このスタンバイ画面を例示するもので、画面中央に「ＳＴＡＮＤ　ＢＹ（スタンバイ）」の文字が表示されると共に、その上部右側に最長録音時間が３０［ｓｅｃ（秒）］であることを表示し、併せて画面下部でシャッタキーの操作により録音を「ＳＴＡＲＴ（開始）」できることを表示している。
【００９４】
ここでシャッタキーが操作されるとステップＳ２３でこれを判断し、マイクロホン３１を用いた録音動作を開始する（ステップＳ２４）。
【００９５】
図８は、録音動作を開始した直後の表示部２６での表示画面を例示するものである。画面中央よりやや上部で、「録音中」であることを示すインジケータを模した例えば赤色による丸記号と「ＲＥＣ」の文字を表示すると共に残りの録音可能な時間が２９［ｓｅｃ（秒）］であることを表示し、併せて画面下部でシャッタキーの操作により録音を「ＳＴＯＰ（停止）」できることを表示している。
【００９６】
このように録音を実行している状態で、再度シャッタキーが操作されたか否か（ステップＳ２５）、録音を開始してから３０［秒］が経過したか否か（ステップＳ２６）を繰返し判断することでこれらを待機する。
【００９７】
しかして、再度シャッタキーが操作されるか、シャッタキーが操作されないままに規定の３０秒間が経過すると、上記ステップＳ２５またはＳ２６でそれを判断し、録音を停止して一連の入力音声を音声データ化し、あらためて対応する静止画像データファイル中に音声データを埋め込んで音声付き静止画データファイルとしてフラッシュメモリ２９に更新記憶させた後に（ステップＳ２７）、再び上記ステップＳ０２からのデータファイルの選択表示状態に戻る。
【００９８】
図９は、こうして静止画像の表示に戻った状態を示すもので、画面上部においては、この静止画像データファイルが音声データを含んだものであることを音符を用いたシンボルマークＳＭにて表わしている。
【００９９】
以上に示した如く、アフレコ機能を実行しようとする静止画像データファイル中に既に音声データが含まれている場合には、音声データの存在を正しくユーザに認識させ、既に記録されていた音声データをアフレコ機能を実行することで誤って消去してしまうのを確実に防止することができる。
【０１００】
なお、上記実施の形態では、アフレコ機能を実行しようとする静止画像データファイル中に既に音声データが含まれている場合に、既に音声データが添付されている旨をメッセージ表示した上で、その音声データを消去してアフレコ機能を続行するか、あるいはアフレコ機能の設定をキャンセルするかをユーザに選択させるものとして説明したが、これに限らず、既に音声データが添付されている静止画像データファイルに対してアフレコ機能を実行しようとした場合には無条件にアフレコ機能の設定をキャンセルするものとしてもよい。
【０１０１】
図１０は、上記図４に代えて使用される、アフレコ機能に関する他の処理内容の一部を示すものである。同図では、選択されていた静止画像データファイルが音声付きであるか否かを判断し（ステップＳ３１）、音声付き静止画データファイルであると判断した場合には、既に音声データが記録されているので音声の追加記録を行なうことができない旨を表示部２６にて、例えば
「音声データがあるので
アフレコ機能を実行できません」
のようにメッセージ表示した後（ステップＳ３２）、上記ステップＳ０２からのデータファイルの選択表示状態に戻るものとする。
【０１０２】
このように、アフレコ機能を実行しようとする静止画像データファイルに既に音声データが添付されている場合には、その選択した静止画像データファイル中に既に記録されている音声データの存在を正しくユーザに認識させ、自動的にアフレコ機能を解除するようになるため、既に記録されている音声データを誤って消去してしまうことは決してない。
【０１０３】
なお、上記実施の形態では、静止画データファイル（ムービーデータファイル）中に音声データを埋め込む（含める）ものとして説明したが、音声データを含む音声データファイルを別個に作成し、静止画データファイルと関連付けてフアッシュメモリ２９に記録するようにしてもよい。例えば静止画像データファイルのファイル名を「２００２０３３１１２３４５６．ｊｐｇ」とすれば、対応する音声データファイルのファイル名を「２００２０３３１１２３４５６．ｗａｖ」として別個に作成し、且つそれらの拡張子は異なるものの、ファイル名自体を共通化することで、フラッシュメモリ２９上での関連付けを行なうものとしてもよい。
【０１０４】
また、上記実施の形態では、静止画データファイル（ムービーデータファイル）と関連付けてプレビュー画像のデータファイルを記録するようにしたが、静止画データファイル中にプレビュー画像データを埋め込むようにしてもよい。
また、上記実施の形態では、選択した静止画像データファイルに対してアフレコ機能を選択指定して録音によるアフレコを行なうことを決定した際に、その静止画像データファイルが既に音声データを有するものであれば警告表示を行なうようにしたが、静止画像データファイルを選択する前に既に録音を終了している音声データを用いてアフレコを実行する場合には、静止画像データファイルを選択し、その選択した静止画像データファイルに対して既に記録されている音声データを添付することを決定する指示操作を行なった時点で警告表示を行なうことになる。
【０１０５】
また、上記実施の形態では、表示部２６にてメッセージ表示を行なうことで音声付き静止画像データファイルに対するアフレコの警告を行なうものとして説明したが、同時、あるいは単独で警告のための音声メッセージをスピーカ３２より拡声放音させるものとしてもよい。
【０１０６】
また、上記実施の形態は、本発明をデジタルカメラ（電子スチルカメラ）に適用した場合について説明したものであるが、本発明はこれに限るものではなく、他にもカメラ付き携帯電話端末、カメラ付きＰＤＡ（Ｐｅｒｓｏｎａｌ　Ｄｉｇｉｔａｌ　Ａｓｓｉｓｔａｎｔｓ）、カメラ付きパーソナルコンピュータ、動画カメラ等に適用することも容易に可能であり、要はカメラ機能及びアフレコ機能が搭載された装置であればいずれにも適用できる。
【０１０７】
また、上記実施の形態は、本発明をデジタルカメラ（電子スチルカメラ）に適用した場合について説明したものであるが、撮影機能を有していない画像記録装置、画像再生装置等にも本発明を適用することができる。例えば、電子スチルカメラからフラッシュメモリ２９でなるメモリカードを取外して他の画像記録装置や画像再生装置に装着することにより本発明を実施したり、電子スチルカメラのフラッシュメモリ２９に記録されている静止画像データファイルを有線又は無線により外部の画像記録装置に送信し、この画像記録装置により本発明を実施することができる。さらに、フラッシュメモリ２９を装着した状態の電子スチルカメラを他の画像記録装置や画像再生装置等の外部機器と有線／無線接続して該外部機器から一旦フラッシュメモリ２９に記録されている静止画像データファイルを読出し、その読出した静止画像データファイルに音声データを添付設定した上でフラッシュメモリ２９に送り返して更新記録させるようにすれば、電子スチルカメラの側には録音機能が備えられない場合であっても、電子スチルカメラ側あるいは外部機器側で本発明によるアフレコ機能を実行することができる。
【０１０８】
また、上記実施の形態は、本発明を音声付き静止画撮影モードを搭載したデジタルカメラに適用した場合について説明したが、音声付き静止画撮影モードを有していないデジタルカメラにも本発明を適用することができる。例えば、音声無し静止画撮影モードによる撮影で得られた音声無し静止画データファイルに対するアフレコ機能の実行により音声が既に付加されている音声付き静止画データファイルに対して再度アフレコ機能を実行しようとした場合に本発明を適用することができる。さらに、この場合、メモリに音声無し静止画データファイルが記録されていて、且つアフレコ機能が搭載されていれさえすれば撮影機能を有していない画像記録装置にも本発明を適用することができることになる。
【０１０９】
また、上記実施の形態は、静止画データファイルに対してアフレコ機能を実行する場合に本発明を適用した場合について説明したが、動画データファイルに対してアフレコ機能を実行する場合に本発明を適用することもできる。
【０１１０】
また、上記実施の形態は、本発明を録音機能を搭載したデジタルカメラに適用した場合について説明したが、録音機能を有していないデジタルカメラにも本発明を適用することができる。例えば、予め複数種類の音声データをメモリに記憶しておき、静止画データファイルに対してアフレコ機能を実行する場合は、メモリに記憶されている複数種類の音声データの中からユーザにより選択された音声データを静止画データファイルに対して付加する構成としてもよい。さらに、この場合、メモリに静止画データファイルが記録されていて、且つ前述のような録音機能を必要としないアフレコ機能が搭載されていれさえすれば撮影機能を有していない画像記録装置にも本発明を適用することができることになる。
【０１１１】
また、上記実施の形態では、音声なしの静止画像データファイルに対してアフレコ機能が選択された場合、または音声付の静止画像データファイルに対してアフレコ機能を選択して既に音声データが記録されていることをメッセージ表示し、そのメッセージに応えて音声データを消去する指示がなされた場合にアフレコ機能のスタンバイ状態となり、その後にシャッタキーの操作で録音を開始するものとしたが、上記のようなアフレコ機能のスタンバイ状態をあえて設けず、音声なしの静止画像データファイルに対してアフレコ機能が選択された場合、または音声データを消去する指示がなされた場合に即座にアフレコ機能による録音動作を開始するものとしてもよい。
【０１１２】
また、上記実施の形態では、静止画像データファイルの選択を行なった後にアフレコ機能を選択するようにしたが、これとは逆に、アフレコ機能を選択した後に、そのアフレコを行なう静止画像データファイルを選択するものとしてもよい。
【０１１３】
その場合、アフレコを行なう静止画像データファイルを選択した時点において、選択した静止画像データファイルが音声付静止画データファイルであるか否かによって上述したような警告のためのメッセージ等が報知されることとなる。
【０１１４】
また、上記実施の形態では、音声付の静止画像データファイルに対してアフレコ機能を選択した場合、アフレコ機能の実行（アフレコスタンバイ画面表示への移行）を一時的に禁止又は完全に禁止するようにしたが、音声無しの静止画像データファイルに対してアフレコ機能を選択した場合と同様にアフレコ機能の実行を禁止せずに、音声付の静止画像データファイル中の音声データを消去する旨の報知のみ行なうようにしてもよい。この場合でもアフレコ機能を実行した時点で既存の音声データを消去してしまったことに気付くことになるので迅速な対応が可能になる。
【０１１５】
その他、本発明は上記実施の形態に限らず、その要旨を逸脱しない範囲内で種々変形して実施することが可能であるものとする。
【０１１６】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【０１１７】
【発明の効果】
請求項１の発明によれば、アフレコ処理の実行を指示した時点でアフレコ対象の画像データに音声データが既に関連付けられていることをユーザが直ちに知ることができる。従って、大事な音声を消去してしまったにも係わらず、そのことに全く気付かないといったことがなくなる。
【０１１８】
請求項２記載の発明によれば、前記請求項１記載の発明の効果に加えて、ユーザがアフレコ対象画像として任意に選択した画像データに音声データが既に関連付けられていることをユーザが直ちに知ることができる。
【０１１９】
請求項３記載の発明によれば、前記請求項１又は２記載の発明の効果に加えて、アフレコ対象の画像データに音声データが関連付けられておらず、音声データ消去の虞が全くない画像データに対しては直ちにアフレコ処理を実行することができる。
【０１２０】
請求項４記載の発明によれば、前記請求項１乃至３のいずれかに記載の発明の効果に加えて、アフレコ対象の画像データに音声データが関連付けられていることをユーザが知った場合でも、アフレコ処理の実行をユーザが指示すればアフレコ処理を実行することができると同時に、アフレコ処理の実行をユーザが指示しなければ既に記録されている大事な音声を消去しないで済むことができる。
【０１２１】
請求項５記載の発明によれば、前記請求項１乃至３のいずれかに記載の発明の効果に加えて、既に記録されている大事な音声を消去してしまうのを確実に防止することができる。
【０１２２】
請求項６記載の発明によれば、前記請求項１乃至５のいずれかに記載の発明の効果に加えて、周囲の生の音声を録音して得た音声データを用いてアフレコ処理を実行することができる。
【０１２３】
請求項７記載の発明によれば、前記請求項１記載の発明の効果に加えて、アフレコ処理の実行を指示した時点で、アフレコ対象の画像データに既にアフレコ処理の実行により音声データが関連付けられていることをユーザが直ちに知ることができる。
【０１２４】
請求項８記載の発明によれば、前記請求項１記載の発明の効果に加えて、アフレコ処理の実行を指示した時点で、アフレコ対象の画像データに録音モードにより録音された音声データが既に関連付けられていることをユーザが直ちに知ることができる。
【０１２５】
請求項９記載の発明によれば、前記請求項１記載の発明の効果に加えて、アフレコ処理の実行を指示した時点で、撮影により得られ、メモリに記録されている画像データに音声データが既に関連付けられていることをユーザが直ちに知ることができる。
【０１２６】
請求項１０記載の発明によれば、前記請求項１乃至８のいずれかに記載の発明の効果に加えて、アフレコ処理の実行を指示した時点で、アフレコ対象の画像データが、音声付き撮影により音声データが関連付けられている画像データであることをユーザが直ちに知ることができる。
【０１２７】
請求項１１記載の発明によれば、前記請求項１乃至１０のいずれかに記載の発明の効果に加えて、アフレコ処理の実行を指示した時点で、アフレコ対象の静止画像データに音声データが関連付けられていることをユーザが直ちに知ることができる。
【０１２８】
請求項１２記載の発明によれば、アフレコ処理の実行を指示した時点でアフレコ対象の画像データに音声データが既に関連付けられている場合に、既に記録されている大事な音声を消去してしまうのを確実に防止することができる。
【０１２９】
請求項１３記載の発明によれば、撮影により得られ、メモリに記憶されている画像データに対してアフレコ処理の実行を指示した時点で音声データが既に関連付けられていることをユーザが直ちに知ることができる。
【０１３０】
請求項１４記載の発明によれば、アフレコ処理の実行を指示した時点でアフレコ対象の画像データに音声データが既に関連付けられていることをユーザが直ちに知ることができる。
【０１３１】
請求項１５記載の発明によれば、アフレコ処理の実行を指示した時点でアフレコ対象の画像データに音声データが既に関連付けられている場合に、既に記録されている大事な音声を消去してしまうのを確実に防止することができる。
【０１３２】
請求項１６記載の発明によれば、アフレコ処理の実行を指示した時点でアフレコ対象の画像データに音声データが既に関連付けられていることをユーザが直ちに知ることができる。
【０１３３】
請求項１７記載の発明によれば、アフレコ処理の実行を指示した時点でアフレコ対象の画像データに音声データが既に関連付けられている場合に、既に記録されている大事な音声を消去してしまうのを確実に防止することができる。
【図面の簡単な説明】
【図１】本発明の実施の一形態に係るデジタルカメラの回路構成を示すブロック図。
【図２】同実施の形態に係るフラッシュメモリ内に格納された各種データファイルを例示する図。
【図３】同実施の形態に係る再生モード時の処理内容を示すフローチャート。
【図４】同実施の形態に係る再生モード時の処理内容を示すフローチャート。
【図５】同実施の形態に係る再生モード時の表示画面内容を例示する図。
【図６】同実施の形態に係る再生モード時の表示画面内容を例示する図。
【図７】同実施の形態に係る再生モード時の表示画面内容を例示する図。
【図８】同実施の形態に係る再生モード時の表示画面内容を例示する図。
【図９】同実施の形態に係る再生モード時の表示画面内容を例示する図。
【図１０】同実施の形態に係る再生モード時の他の処理内容を示すフローチャート。
【符号の説明】
１０…デジタルカメラ、１１…モータ、１２…フォーカスレンズ、１３…ＣＣＤ、１４…タイミング発生器（ＴＧ）、１５…垂直ドライバ、１６…サンプルホールド回路（Ｓ／Ｈ）、１７…Ａ／Ｄ変換器、１８…カラープロセス回路、１９…ＤＭＡコントローラ、２０…ＤＲＡＭインタフェース（Ｉ／Ｆ）、２１…ＤＲＡＭ、２２…ＣＰＵ、２３…ＶＲＡＭコントローラ、２４…ＶＲＡＭ、２５…デジタルビデオエンコーダ、２６…表示部、２７…キー入力部、２８…ＪＰＥＧ回路、２９…フラッシュメモリ、３０…音声処理部、３１…マイクロホン（ＭＩＣ）、３２…スピーカ（ＳＰ）。
【図１】
2004007435.tif 000003
【図２】
2004007435.tif 000004
【図３】
2004007435.tif 000005
【図４】
2004007435.tif 000006
【図５】
2004007435.tif 000007
【図６】
2004007435.tif 000008
【図７】
2004007435.tif 000009
【図８】
2004007435.tif 000010
【図９】
2004007435.tif 000011
【図１０】
2004007435.tif 000012